(57)【要約】【課題】防犯機器へ配線するための挿通孔の隙間から侵入して機器の誤動作や故障の原因となる虫、埃等の侵入防止構造を備えると共に、設置時の作業を容易にした防犯機器を提供する。【解決手段】アリやクモなどの虫や埃の侵入元となる挿通孔に、防犯機器の内部に向けて径小となる円錐状のブッシュを配設し、防犯機器に配線されるケーブルの外径と円錐状ブッシュの内径がほぼ等しくなる位置でブッシュを径方向に切断した後、配線ケーブルを挿通すれば、配線ケーブルとブッシュは密着するので、従来のように挿通孔と配線ケーブルとの隙間をスポンジなどで封止する作業を不要として、且つ虫や埃が防犯機器内部に侵入することを防ぐことができる。【選択図】  図２
2004334423.tif 000002
【特許請求の範囲】
【請求項１】
侵入者を検知する防犯機器において、防犯機器への配線を挿通する挿通孔に前記防犯機器の内部に向けて径小となる円錐状のブッシュを配設したことを特徴とする防犯機器の挿通孔構造。
【発明の詳細な説明】
【０００１】
【発明が属する技術分野】
この発明は、侵入者を検知する防犯機器が虫や埃等の侵入により誤動作などを起こすのを防止する防虫、防塵構造とした前記防犯機器の挿通孔構造に関する。
【０００２】
【従来の技術】
侵入者を検知する防犯機器としては、受動型赤外線センサ、能動型赤外線センサ、ドップラー式超音波センサ、またはドップラー式マイクロ波センサなどが一般的に用いられている。
【０００３】
このうち例えば、能動型赤外線センサは一対の赤外線発光部及び赤外線受光部から成る検知ラインを、侵入者を検知すべき警備対象となる建物等の周囲に張り巡らすことにより構成されている。そして、建物等に侵入者が侵入しようとすると、侵入者の体の一部が上記検知ラインを横切ることにより、赤外線発光部からの赤外線が赤外線受光部に入射しなくなり、赤外線受光部からの検出信号が変化する。この赤外線受光部からの検出信号の変化が信号処理部によって検出されることにより、侵入者の存在が検出され得るようになっている。
【０００４】
上述したように、特に能動型赤外線センサは屋外に設置されることが多い。このためセンサへ配線ケーブルを挿通するための挿通孔から虫等の侵入を招き易く、この侵入した虫等が誤動作を起こす原因となっていた。また、埃や塵がセンサ内部に侵入することでミラーやレンズ等の光学系が汚れ、センサの検知感度を低下させることがあった。
【０００５】
また、他の防犯機器である受動型赤外線センサ、ドップラー式超音波センサ、またはドップラー式マイクロ波センサなどにおいても、従来の挿通孔の構造は、例えば図３に示すように配線ケーブル３０の損傷を防止する目的でドーナツ状のゴムブッシュ１が防犯機器本体のベース２０の開口部に設けられたものであり、径の異なる各種配線ケーブルと一定の径を有する該挿通孔との間に隙間を生じさせないようにすることは困難であった。このためゴムブッシュ１と配線ケーブル３０との隙間２から虫等が侵入して誤動作を起こす原因となる場合があった。また、能動型赤外線センサと同様に光学系を有する受動型赤外線センサでは、埃や塵の侵入によってミラーやレンズが汚れ、センサの検知感度を低下させることがあった。
【０００６】
このような問題に対し、従来技術における防虫、防塵対策としては、防犯機器内に虫等が入り込まないように、挿通孔と配線ケーブルとの隙間２をシリコーン樹脂（図示せず）で封止したり、隙間２にゴムやスポンジ等のパッキン（図示せず）を取り付けるようにしていた。また、先に本出願人により虫が嫌がる害虫防除剤を塗布した害虫忌避シート材を防犯機器の開口部などの侵入路に貼り付け、防犯機器への虫の侵入を防止する提案が特開２０００−２２２６４５公報に開示されているが、害虫忌避シート材がコストアップとなると共に、埃や塵の侵入には効果がないという問題があった。
【０００７】
【発明が解決しようとする課題】
防犯機器の挿通孔と配線ケーブルとの隙間をシリコーン樹脂で封止したり、前記隙間にゴムやスポンジ等のパッキンを取り付けることは、コストと手間を要していた。
【０００８】
さらに、機器の交換や点検作業をする際に、上記シリコーン樹脂やゴム、スポンジ等のパッキンを除去しなければならない等、余分な手間がかかるという問題があった。
【０００９】
本発明は、前述のような問題を解消するためになされたものであり、防犯機器の設置や点検にかかるコストと手間が低減でき、且つ簡単な構造で、優れた防虫、防塵性能を有した防犯機器の挿通孔構造を提供するものである。
【００１０】
【課題を解決するための手段】
上記の目的を達成するためになされた本発明の防犯機器の挿通孔構造は、防犯機器へ配線するための挿通孔に、前記防犯機器の内部に向けて径小となる円錐状のブッシュを配設することで、挿通孔と配線ケーブルとの隙間を無くし、防虫、防塵構造としたことを特徴とする。
【００１１】
【発明の実施の形態】
以下、図面に示した実施形態に基づいて本発明を詳細に説明する。図１は本発明に用いたブッシュの径小側を開口加工する前の側断面図である。図２は本発明の一実施形態を表した側断面図である。図１、図２において、防犯機器本体のベース２０に設けられた取付穴にブッシュ１０の下側フランジ１０ａを押入し、防犯機器本体のベース２０にブッシュ１０側面の凹部１０ｂを嵌入させてブッシュ１０を防犯機器本体のベース２０に固定させる。
【００１２】
一般的に、防犯機器は取り付け場所や取り付け方法に柔軟に対応できるように複数の挿通孔を有しているが、使用しない挿通孔を不用な開口部としないためには、加工前のブッシュ１０の径小側は図１に示されるように閉じられた形状であることが望ましい。
【００１３】
円錐状のブッシュ１０は、その形状の特性から軸方向への移動に伴って内径が変化するので、配線ケーブル３０を挿通させるブッシュ１０は、その内径が配線ケーブル３０の外径とほぼ等しくなる位置で径方向に切断して径小側を開口させておけば、配線ケーブル３０を挿通させた状態において、配線ケーブル３０と挿通孔となるブッシュ１０の内径開口部との間に隙間を生じることがなく、防虫、防塵性能に優れた防犯機器とすることができる。
【００１４】
ブッシュ１０は配線ケーブル３０との密着性を考慮すると、成形が容易で伸縮性を有したゴム等を用いることが好ましいが、防犯機器の配線には、一般的にシース内に各々が絶縁被覆された複数の心線を収容した、所謂、多心ケーブルが使用されることが多い。多心ケーブルは、その構造上、径方向に収縮性を有しているので、ブッシュ１０はＡＢＳ樹脂等の伸縮性を有さない樹脂成形品であっても、配線ケーブル３０との良好な密着性を得ることができる。
【００１５】
【発明の効果】
以上説明したように、本発明によれば、設置や点検にかかるコストと手間が低減でき、且つ優れた防虫、防塵性能を有した防犯機器の挿通孔構造を簡素な構成で低コストに提供できる。
【図面の簡単な説明】
【図１】本発明の防犯機器の挿通孔構造に用いたブッシュの側断面図である。
【図２】本発明に係る防犯機器の挿通孔構造の一実施形態を示す側断面図である。
【図３】従来の防犯機器の挿通孔構造の一例を示す側断面図である。
【符号の説明】
１      ゴムブッシュ
２      隙間
１０    ブッシュ
１０ａ  ブッシュの下側フランジ
１０ｂ  ブッシュ側面の凹部
２０    防犯機器本体のベース
３０    配線ケーブル
【図１】
2004334423.tif 000003
【図２】
2004334423.tif 000004
【図３】
2004334423.tif 000005